(57)【要約】【課題】距離測定ウィンドウが開くことで発生する上り方向の無駄な帯域使用を低減し、帯域の有効活用を実現する距離測定方式を提供する。【解決手段】局側装置と、複数の加入者側装置とを有し、局側装置と加入者装置間の距離をそれぞれ測定するための距離測定処理を実行するＡＴＭ−ＰＯＮシステムであって、局側装置は、電波時計を備え、距離測定処理のために用いる距離測定用セルの送出時刻を該電波時計から取得し、該送出時刻を距離測定用セルへ挿入して距離測定対象である加入者側装置へ送出する。また、加入者側装置は、電波時計を備え、局側装置から距離測定用セルを受信すると、該距離測定用セルに挿入された送出時刻と電波時計から取得した距離測定用セルの受信時刻とを比較し、その差分から自装置から送出する上り方向セルの送出タイミングを算出し、該算出した送出タイミングで上り方向セルを局側装置へ送信する。【選択図】　図３
2004064494.tif 000002
【特許請求の範囲】
【請求項１】
局側装置と、
複数の加入者側装置とを有し、
前記局側装置と加入者装置間の距離をそれぞれ測定するための距離測定処理を実行するＡＴＭ−ＰＯＮシステムであって、
前記局側装置は、
電波時計を備え、
前記距離測定処理のために用いる距離測定用セルの送出時刻を該電波時計から取得し、該送出時刻を前記距離測定用セルへ挿入して距離測定対象である加入者側装置へ送出し、
前記加入者側装置は、
電波時計を備え、
前記局側装置から前記距離測定用セルを受信すると、該距離測定用セルに挿入された前記送出時刻と該電波時計から取得した該距離測定用セルの受信時刻とを比較し、その差分から自装置から送出する上り方向セルの送出タイミングを算出し、該算出した送出タイミングで前記上り方向セルを前記局側装置へ送信するＡＴＭ−ＰＯＮシステム。
【請求項２】
前記局側装置は、
前記加入者側装置に固有の期待位相で前記上り方向セルが返送された場合は距離測定が成功したと判定して前記距離測定処理を終了し、
前記期待位相で前記上り方向セルが返送されない場合は距離測定が失敗したと判定して該加入者側装置に対する前記距離測定用セルの送信を繰り返す請求項１記載のＡＴＭ−ＰＯＮシステム。
【請求項３】
局側装置と、複数の加入者側装置とを有するＡＴＭ−ＰＯＮシステムが実行する、前記局側装置と加入者装置間の距離を測定するためのＡＴＭ−ＰＯＮシステムの距離測定方法であって、
予め、前記局側装置及び前記加入者側装置にそれぞれ電波時計を備えておき、
前記距離測定処理のために用いる距離測定用セルの送出時刻を前記局側装置が備える電波時計から取得し、該送出時刻を前記距離測定用セルへ挿入して前記局側装置から距離測定対象である加入者側装置へ送出し、
前記局側装置から前記距離測定用セルを受信した加入者側装置で、該距離測定用セルに挿入された前記送出時刻と該加入者側装置が備える電波時計から取得した該距離測定用セルの受信時刻とを比較し、その差分から該加入者側装置から送出する上り方向セルの送出タイミングを算出し、該算出した送出タイミングで前記上り方向セルを該加入者側装置から前記局側装置へ送信するＡＴＭ−ＰＯＮシステムの距離測定方法。
【請求項４】
前記加入者側装置に固有の期待位相で前記上り方向セルが前記局側装置へ返送された場合は距離測定が成功したと判定して距離測定処理を終了し、
前記期待位相で前記上り方向セルが前記局側装置へ返送されない場合は距離測定が失敗したと判定して前記局側装置から該加入者側装置に対する前記距離測定用セルの送信を繰り返す請求項３記載のＡＴＭ−ＰＯＮシステムの距離測定方法。
【請求項５】
装置間の距離を測定するための距離測定処理を実行するＡＴＭ−ＰＯＮシステムが備えた、加入者側装置との間で上り方向セル及び下り方向セルを送受信する局側装置であって、
前記下り方向セルを前記加入者側装置へ送信する下り信号送信部と、
前記加入者側装置からの前記上り方向セルを受信する上り信号受信部と、
電波時計を備え、前記距離測定処理のために用いる距離測定用セルの送出時刻を前記電波時計から取得し、該送出時刻を前記距離測定用セルへ挿入する下りセル送出時間挿入部と、
前記加入者側装置に固有の期待位相で前記上り方向セルが返送された場合は距離測定が成功したと判定して前記距離測定処理を終了し、前記期待位相で前記上り方向セルが返送されない場合は距離測定が失敗したと判定して前記距離測定処理を繰り返す制御部と、
を有する局側装置。
【請求項６】
装置間の距離を測定するための距離測定処理を実行するＡＴＭ−ＰＯＮシステムが備えた、局側装置との間で上り方向セル及び下り方向セルを送受信する加入者側装置であって、
前記上り方向セルを前記局側装置へ送信する上り信号送信部と、
前記局側装置からの前記下り方向セルを受信する下り信号受信部と、
電波時計を備え、前記距離測定処理のために用いる距離測定用セルを受信すると、該距離測定用セルに挿入された該距離測定用セルの送出時刻と前記電波時計から取得した該距離測定用セルの受信時刻とを比較し、その差分から自装置からの上り方向セルの送出タイミングを算出する下り受信時間比較部と、
前記下りセル受信時間比較部で算出された前記送出タイミングに基づいて前記上り信号送信部から上り方向セルを送出させる制御部と、
を有する加入者側装置。
【発明の詳細な説明】
【０００１】
【発明の属する技術分野】
本発明は、局側装置ＯＬＴ（Ｏｐｔｉｃａｌ　ｌｉｎｅ　Ｔｅｒｍｉｎａｔｉｏｎ）と複数の加入者側装置ＯＮＵ（Ｏｐｔｉｃａｌ　Ｎｅｔｗｏｒｋ　Ｕｎｉｔ）とがスターカップラを介して接続されたＰＯＮ（Ｐａｓｓｉｖｅ　Ｏｐｔｉｃａｌ　Ｎｅｔｗｏｒｋ）システムに関し、特にＡＴＭ（Ａｓｙｎｃｈｒｏｎｏｕｓ　Ｔｒａｎｓｆｅｒ　Ｍｏｄｅ）セルを用いて通信を行うＡＴＭ−ＰＯＮシステムに関する。
【０００２】
【従来の技術】
不特定多数の加入者に均質な通信サービスを提供するための公衆網は、加入者交換機を境にしてアクセス系と中継系とに区分される。アクセス系は電話機や情報処理装置などの加入者が利用する加入者側装置と交換局とを接続するネットワークであり、中継系は市内エリアの通信サービスを提供する市内網、長距離通信サービスを提供する市外網、外国との通信サービスを提供する国際網を含む階層的に構築されたネットワークである。一般に、上記アクセス系はアクセスネットワークシステムと呼ばれる。
【０００３】
ＡＴＭ−ＰＯＮは、光ファイバを用いて交換局に設置された局側装置ＯＬＴと加入者側装置ＯＮＵとを接続するアクセスネットワークであり、高速で、かつ大容量のネットワークを経済的に構築するための手法として広く採用されつつある。
【０００４】
図５はＡＴＭ−ＰＯＮシステムの構成を示すブロック図である。
【０００５】
図５に示すように、ＡＴＭ−ＰＯＮシステムは、局側装置ＯＬＴ１と複数の加入者側装置ＯＮＵ２１〜２ｎ（ｎは正の整数）とを有し、それらがスターカップラ３を介して接続された構成である。
【０００６】
スターカップラ３は、交換局から離れた加入者宅・集合住宅・オフィスビル等に設置され、複数の加入者側装置ＯＮＵ２１〜２ｎからの加入者線をそれぞれ収容する。
【０００７】
局側装置ＯＬＴ１から加入者側装置ＯＮＵ２１〜２ｎへ送出される下り方向セルは、局側装置ＯＬＴ１内で多重化され、光ファイバによる伝送線路を通してスターカップラ３へ送信される。スターカップラ３は局側装置ＯＬＴ１から受信した多重化信号を全ての加入者側装置ＯＮＵ２１〜２ｎへ分配する。加入者側装置ＯＮＵ２１〜２ｎは、受信信号から自装置宛てのセルだけを抽出し、他の加入者側装置ＯＮＵ宛てのセルを廃棄する。
【０００８】
一方、加入者側装置ＯＮＵ２１〜２ｎから送出される上り方向セルは、スターカップラ３で時分割多重された後、局側装置ＯＬＴ１へ送信される。その際、様々な位置に設置された加入者側装置ＯＮＵ２１〜２ｎの上り方向セルを時分割多重するためには、各加入者側装置ＯＮＵ２１〜２ｎによるセルの送出タイミングをずらしてセルの衝突を防止する必要がある。そのため、ＡＴＭ−ＰＯＮシステムでは、局側装置ＯＬＴ１と加入者側装置ＯＮＵ２１〜２ｎの距離をそれぞれ測定する距離測定処理が実施される。なお、加入者側装置ＯＮＵ２１〜２ｎ毎に固有に設定されるセルの送出タイミングを、以下では「期待位相」と称す。
【０００９】
従来の距離測定処理では、加入者側装置ＯＮＵ２１〜２ｎから上り方向セルを送出させない距離測定ウィンドウと呼ばれる期間を設け、距離測定ウィンドウ内で、局側装置ＯＬＴ１から加入者側装置ＯＮＵ２１〜２ｎへ距離測定開始用のセルである距離測定用ｇｒａｎｔを送出し、その送出時間に対する加入者側装置ＯＮＵ２１〜２ｎから返送されるＰＬＯＡＭセルの受信時間を測定することで加入者側装置ＯＮＵ２１〜２ｎとの距離を算出していた。
【００１０】
図６は従来のＡＴＭ−ＰＯＮシステムの距離測定処理の手順を示すフローチャートである。また、図７は距離測定ウィンドウとＰＬＯＡＭセルの送出タイミングの関係を示すタイミングチャートである。
【００１１】
図６に示すように、従来の距離測定処理では、局側装置ＯＬＴ１が距離測定処理を開始すると（ステップＡ１）、まず、距離測定用ウィンドウを開き、距離測定対象である、例えば加入者側装置ＯＮＵ２１に対して距離測定用ｇｒａｎｔを送信する（ステップＡ２）。ここで、距離測定用ウィンドウが開いている間は他の加入者側装置ＯＮＵ２２〜２ｎは上り方向セルを送出できない。
【００１２】
距離測定用ｇｒａｎｔを受信した加入者側装置ＯＮＵ２１は、距離測定用ｇｒａｎｔに対する応答としてＰＬＯＡＭセルを局側装置ＯＬＴ１へ返送する（ステップＡ３）。
【００１３】
局側装置ＯＬＴ１は、距離測定ウィンドウ内に加入者側装置ＯＮＵ２１からのＰＬＯＡＭセルを受信したか否かを判定し（ステップＡ４）、距離測定ウィンドウ内にＰＬＯＡＭセルを受信した場合は距離測定が成功したと判定し（ステップＡ５）、距離測定用ｇｒａｎｔの送出からＰＬＯＡＭセルの受信までの時間を測定し、ＰＬＯＡＭセルを返送した加入者側装置ＯＮＵ２１との距離を算出する。そして、その算出結果を加入者側装置ＯＮＵ２１へ返送し、距離測定を終了する（ステップＡ６）。
【００１４】
一方、距離測定ウィンドウ内にＰＬＯＡＭセルを受信しない場合は距離測定が失敗したと判定し（ステップＡ７）、ステップＡ１の処理に戻ってステップＡ４までの処理を繰り返す。距離測定が失敗する例としては、例えば加入者側装置ＯＮＵが電源断時や加入者線路の障害等により距離測定用ｇｒａｎｔが受信できない場合等がある。
【００１５】
局側装置ＯＬＴ１は、全ての加入者側装置ＯＮＵ２１〜２ｎに対して同様の処理を順に実行し、各加入者側装置ＯＮＵ２１〜２ｎとの距離をそれぞれ算出する。
【００１６】
なお、局側装置ＯＬＴ１と加入者側装置ＯＮＵ２１〜２ｎとの距離が最大で２０ｋｍのＡＴＭ−ＰＯＮシステムでは、局側装置ＯＬＴ１は、図７に示すようにその距離の最大遅延時間に相当する６９セル分の時間だけ距離測定ウィンドウを確保する。
【００１７】
【発明が解決しようとする課題】
上記したように、従来のＡＴＭ−ＰＯＮシステムでは、加入者側装置ＯＮＵの状態に関係無く局側装置ＯＬＴで距離測定処理を開始し、距離測定が失敗した場合は、距離測定が成功するまで距離測定ウィンドウを開いて加入者側装置ＯＮＵへ距離測定用ｇｒａｎｔを送信する。
【００１８】
したがって、例えば、加入者側装置ＯＮＵが故障の修理のために電源断状態にある場合、その故障が回復して運用状態になるまで距離測定は成功しないため、局側装置ＯＬＴは加入者側装置ＯＮＵが運用状態になるまで距離測定処理を繰り返すことになる。
【００１９】
上述したように、距離測定ウィンドウが開いている状態では加入者側装置ＯＮＵから上り方向セルが送出できないため、電源断や伝送線路の障害によって非運用状態にある加入者側装置ＯＮＵが多いほど距離測定処理の回数が増加し、距離測定ウィンドウを開くことによる無駄な伝送帯域の使用が増加する。
【００２０】
例えば、距離測定処理を１００ｍＳ周期で行うＡＴＭ−ＰＯＮシステムの場合、加入者側装置ＯＮＵが故障修理のために１時間電源断状態にあると、１時間当たり３６０００回の距離測定処理を行うことになる。ここで、局側装置ＯＬＴと加入者側装置ＯＮＵ間の最大距離が２０ｋｍのシステムでは、１回の距離測定処理で６９セル分の距離測定ウィンドウを開くため、１時間で２４８４０００セル分だけ伝送帯域を無駄に使用することになる。
【００２１】
これはデータ量に換算すると約１１０Ｍｂｙｔｅに相当し、１時間で約１１０Ｍｂｙｔｅのデータが送信できなかったことになる。さらに、より多くの加入者側装置ＯＮＵで電源断や伝送線路障害による距離測定の失敗が発生すれば、その台数分だけ伝送帯域を無駄に使用することになる。
【００２２】
本発明は上記したような従来の技術が有する問題点を解決するためになされたものであり、距離測定ウィンドウが開くことで発生する上り方向の無駄な帯域使用を低減し、帯域の有効活用を実現する距離測定方式を提供することを目的とする。
【００２３】
【課題を解決するための手段】
上記目的を達成するため本発明のＡＴＭ−ＰＯＮシステムは、局側装置と、
複数の加入者側装置とを有し、
前記局側装置と加入者装置間の距離をそれぞれ測定するための距離測定処理を実行するＡＴＭ−ＰＯＮシステムであって、
前記局側装置は、
電波時計を備え、
前記距離測定処理のために用いる距離測定用セルの送出時刻を該電波時計から取得し、該送出時刻を前記距離測定用セルへ挿入して距離測定対象である加入者側装置へ送出し、
前記加入者側装置は、
電波時計を備え、
前記局側装置から前記距離測定用セルを受信すると、該距離測定用セルに挿入された前記送出時刻と該電波時計から取得した該距離測定用セルの受信時刻とを比較し、その差分から自装置から送出する上り方向セルの送出タイミングを算出し、該算出した送出タイミングで前記上り方向セルを前記局側装置へ送信する構成である。
【００２４】
このとき、前記局側装置は、
前記加入者側装置に固有の期待位相で前記上り方向セルが返送された場合は距離測定が成功したと判定して前記距離測定処理を終了し、
前記期待位相で前記上り方向セルが返送されない場合は距離測定が失敗したと判定して該加入者側装置に対する前記距離測定用セルの送信を繰り返してもよい。
【００２５】
一方、本発明のＡＴＭ−ＰＯＮシステムの距離測定方法は、局側装置と、複数の加入者側装置とを有するＡＴＭ−ＰＯＮシステムが実行する、前記局側装置と加入者装置間の距離を測定するためのＡＴＭ−ＰＯＮシステムの距離測定方法であって、
予め、前記局側装置及び前記加入者側装置にそれぞれ電波時計を備えておき、前記距離測定処理のために用いる距離測定用セルの送出時刻を前記局側装置が備える電波時計から取得し、該送出時刻を前記距離測定用セルへ挿入して前記局側装置から距離測定対象である加入者側装置へ送出し、
前記局側装置から前記距離測定用セルを受信した加入者側装置で、該距離測定用セルに挿入された前記送出時刻と該加入者側装置が備える電波時計から取得した該距離測定用セルの受信時刻とを比較し、その差分から該加入者側装置から送出する上り方向セルの送出タイミングを算出し、該算出した送出タイミングで前記上り方向セルを該加入者側装置から前記局側装置へ送信する方法である。
【００２６】
このとき、前記加入者側装置に固有の期待位相で前記上り方向セルが前記局側装置へ返送された場合は距離測定が成功したと判定して距離測定処理を終了し、前記期待位相で前記上り方向セルが前記局側装置へ返送されない場合は距離測定が失敗したと判定して前記局側装置から該加入者側装置に対する前記距離測定用セルの送信を繰り返してもよい。
【００２７】
上記のようなＡＴＭ−ＰＯＮシステム及びその距離測定方法では、局側装置が、距離測定用セルの送出時刻を電波時計から取得して距離測定用セルへ挿入し、距離測定対象である加入者側装置へ送出し、距離測定用セルを受信した加入者側装置が、該距離測定用セルに挿入されたセルの送出時刻と電波時計から取得した距離測定用セルの受信時刻とを比較し、その差分から上り方向セルの送出タイミングを算出し、該算出した送出タイミングで上り方向セルを局側装置へ送信することで、局側装置から加入者側装置へ距離測定用セルを送信するだけで、加入者側装置は自装置と局側装置間の距離に相当する上り方向セルの送出タイミングを算出することができる。
【００２８】
【発明の実施の形態】
次に本発明について図面を参照して説明する。
【００２９】
本発明のＡＴＭ−ＰＯＮシステムは、局側装置ＯＬＴ及び加入者側装置ＯＮＵにそれぞれ電波時計を備え、それぞれに共通の時刻である標準時刻を認識し、局側装置ＯＬＴから下り方向セルを送出する時刻と加入者側装置ＯＮＵが下り方向セルを受信する時刻の差から両装置間の距離を算出する。
【００３０】
図１は本発明のＡＴＭ−ＰＯＮシステムが有する局側装置ＯＬＴの構成を示すブロック図であり、図２は本発明のＡＴＭ−ＰＯＮシステムが有する加入者側装置ＯＮＵの構成を示すブロック図である。なお、ＡＴＭ−ＰＯＮシステムの構成は図６に示した従来の構成と同様であるため、その説明は省略する。
【００３１】
図１に示すように、本発明のＡＴＭ−ＰＯＮシステムが有する局側装置ＯＬＴは、スターカップラを介して加入者側装置ＯＮＵと上り方向セル及び下り方向セルを送受信するためのインタフェースであるＩＦ処理部１１と、下り方向セルを送信する下り信号送信部１２と、上り方向セルを受信する上り信号受信部１３と、電波時計により得られる標準時刻を下り方向セルへ挿入する下りセル送出時間挿入部１４と、距離測定処理時に、下り信号送信部１２、上り信号受信部１３、及び下りセル送出時間挿入部１４の動作をそれぞれ制御する制御部１５とを有する構成である。
【００３２】
ＩＦ処理部１１は、加入者側装置ＯＮＵ毎の信号を分離する光波長分波器１１１、及び伝送線路である光ファイバ１１２を備えた構成であり、下りセル送出時間挿入部１４は、電波時計を備えた標準時間認識・保持部１４１、及び標準時刻をセルに挿入する送出時間挿入部１４２を備えた構成である。下りセル送出時間挿入部１４及び制御部１５は、例えばプログラムにしたがって所定の処理を実行するＣＰＵ、あるいはＤＳＰ等によって構成される。
【００３３】
距離測定処理の実行時、下りセル送出時間挿入部１４は、標準時間認識・保持部１４１の電波時計から距離測定用セル送出時の時刻を取得し、送出時間挿入部１４２によりその時刻情報を距離測定用セル中に挿入して下り信号送信部１２へ送出する。下り信号送信部１２は、下りセル送出時間挿入部１４から受信した時刻情報を含む距離測定用セルを、ＩＦ処理部１１を介して距離測定対象の加入者側装置ＯＮＵへ送信する。
【００３４】
制御部１５は、加入者側装置ＯＮＵからその期待位相で上り方向セルが返送された場合に距離測定が成功したと判定して距離測定処理を終了する。また、期待位相で上り方向セルが返送されない場合は距離測定が失敗したと判定して距離測定処理を繰り返す。
【００３５】
図２に示すように、本発明のＡＴＭ−ＰＯＮシステムが有する加入者側装置ＯＮＵは、スターカップラを介して局側装置ＯＬＴと上り方向セル及び下り方向セルを送受信するためのインタフェースであるＩＦ処理部２１と、下り方向セルを受信する下り信号受信部２２と、上り方向セルを送信する上り信号送信部２３と、電波時計により得られる標準時刻と距離測定用セルに挿入された時刻情報とを比較する下りセル受信時間比較部２４と、距離測定処理時に、下り信号受信部２２、上り信号送信部２３、及び下りセル受信時間比較部２４の動作をそれぞれ制御する制御部２５とを有する構成である。
【００３６】
ＩＦ処理部２１は、自装置宛の信号を分離する光波長分波器２１１、及び伝送線路である光ファイバ２１２を備えた構成であり、下りセル受信時間比較部２４は、電波時計を備えた標準時間認識・保持部２４１、及び標準時刻と距離測定用セルに挿入された時刻情報とを比較する受信時間比較部２４２を有する構成である。下りセル受信時間比較部２４及び制御部１５は、例えばプログラムにしたがって所定の処理を実行するＣＰＵ、あるいはＤＳＰ等によって構成される。
【００３７】
距離測定処理の実行時、加入者側装置ＯＮＵは、下り信号受信部２２で距離測定用セルを受信し、下りセル受信時間比較部２４の受信時間比較部２４２により受信した距離測定用セルに挿入された時刻情報を抽出する。また、受信時間比較部２４２は、標準時間認識・保持部２４１の電波時計から距離測定用セル受信時の時刻を取得し、距離測定用セルから抽出した時刻情報と距離測定用セル受信時の時刻とを比較し、その差分から上り方向セルの送出時に自装置が待機する時間であるＴｄ値（上記期待位相に一致する値）を算出する。
【００３８】
制御部２５は、下りセル受信時間比較部２４で算出されたＴｄ値に基づいて、以降、上り信号送信部２３からの上り方向セルの送出時間を制御する。
【００３９】
次に、本発明のＡＴＭ−ＰＯＮシステムの距離測定処理の手順について図３及び図４を用いて説明する。
【００４０】
図３は本発明のＡＴＭ−ＰＯＮシステムの距離測定処理の手順を示すフローチャートであり、図４は局側装置から加入者側装置へ送信する距離測定用セルのフォーマットの一例を示す模式図である。
【００４１】
図３に示すように、局側装置ＯＬＴ及び加入者側装置ＯＮＵの電源を投入すると、これらは未だ非運用状態であり、内蔵する電波時計により共通の標準時刻を認識する（ステップＢ１）。
【００４２】
次に、局側装置ＯＬＴにおいて距離測定処理を開始すると（ステップＢ２）、局側装置ＯＬＴは、制御部１５により距離測定用セルを生成し、距離測定対象の加入者側装置ＯＮＵへ該距離測定用セルを送出する（ステップＢ３）。このとき、距離測定用セルは、例えば図４に示すフォーマットで生成される。
【００４３】
図４において、ＭＥＳＳＡＧＥ　ＰＯＮ　ＩＤは加入者側装置ＯＮＵを識別するための識別子であり、ＭＥＳＳＡＧＥ　ＩＤは送信セルの種類（ここでは距離測定用セル）を識別するための識別子である。また、西暦表示、月表示、日表示、２４時間表示、分表示、秒表示、及び１秒未満表示は、それぞれ時刻情報であり、Ｄｏｎ’ｔ　ｃａｒｅは未使用領域である。また、ＣＲＣ　Ｂｙｔｅはデータが正しく伝送されたか否かをチェックするために用いる情報である。
【００４４】
局側装置ＯＬＴは、下りセル送出時間挿入部１４により電波時計から距離測定用セル送出時の時刻を取得し、その時刻情報を図４に示す西暦表示、月表示、日表示、２４時間表示、分表示、秒表示、及び１秒未満表示の領域に挿入し、下り信号送信部１２を介して加入者側装置ＯＮＵへ送出する。
【００４５】
加入者側装置ＯＮＵは、距離測定用セルを受信すると、下りセル受信時間比較部２４を用いて受信した距離測定用セルに挿入された時刻情報を抽出すると共に、自装置の電波時計から距離測定用セル受信時の時刻を取得し、距離測定用セルから抽出した時刻情報（距離測定用セルの送出時刻）と距離測定用セル受信時の時刻（距離測定用セルの受信時刻）とを比較して、その差分を算出する（ステップＢ４）。
【００４６】
続いて、距離測定用セルの送出時刻と受信時刻の差分から自装置のＴｄ値を算出する（ステップＢ５）。加入者側装置ＯＮＵは、以降、該Ｔｄ値に基づいて上り方向セルを送出する。
【００４７】
局側装置ＯＬＴは、加入者側装置ＯＮＵから送信された上り方向セルを、その装置との距離に対応する期待位相で受信したか否かを判定し（ステップＢ６）、期待位相で受信した場合は距離測定が成功したと判定して（ステップＢ７）、距離測定処理を終了する（ステップＢ８）。
【００４８】
一方、加入者側装置ＯＮＵから送信された上り方向セルを、その装置の期待位相で受信しなかった場合は距離測定処理が失敗したと判定し（ステップＢ９）、ステップＢ２の処理に戻ってステップＢ６までの処理を繰り返す。
【００４９】
したがって、本発明のＡＴＭ−ＰＯＮシステムでは、局側装置ＯＬＴから加入者側装置ＯＮＵへ距離測定用セルを送信するだけで、加入者側装置ＯＮＵは自装置と局側装置ＯＬＴ間の距離に相当する上り方向セルの送出タイミングを算出することができるため、従来のように、距離測定処理時に距離測定ウィンドウを設ける必要が無くなる。よって、上り方向セルが送出できない期間が無くなり、局側装置が加入者側装置との伝送線路断等によって距離測定処理を長時間繰り返す場合でも、上り方向の無駄な帯域使用が低減され、帯域の有効活用が可能となる。
【００５０】
【発明の効果】
本発明は以上説明したように構成されているので、以下に記載する効果を奏する。
【００５１】
局側装置が、距離測定用セルの送出時刻を電波時計から取得して距離測定用セルへ挿入し、距離測定対象である加入者側装置へ送出し、距離測定用セルを受信した加入者側装置が、該距離測定用セルに挿入されたセルの送出時刻と電波時計から取得した距離測定用セルの受信時刻とを比較し、その差分から上り方向セルの送出タイミングを算出し、該算出した送出タイミングで上り方向セルを局側装置へ送信することで、局側装置から加入者側装置へ距離測定用セルを送信するだけで、加入者側装置は自装置と局側装置間の距離に相当する上り方向セルの送出タイミングを算出することができる。
【００５２】
したがって、従来のように、距離測定処理時に距離測定ウィンドウを設ける必要が無くなるため、上り方向セルが送出できない期間が無くなり、局側装置が加入者側装置との伝送線路断等によって距離測定処理を長時間繰り返す場合でも、上り方向の無駄な帯域使用が低減され、帯域の有効活用が可能となる。
【図面の簡単な説明】
【図１】本発明のＡＴＭ−ＰＯＮシステムが有する局側装置ＯＬＴの構成を示すブロック図である。
【図２】本発明のＡＴＭ−ＰＯＮシステムが有する加入者側装置ＯＮＵの構成を示すブロック図である。
【図３】本発明のＡＴＭ−ＰＯＮシステムの距離測定処理の手順を示すフローチャートである。
【図４】図４は局側装置から加入者側装置へ送信する距離測定用セルのフォーマットの一例を示す模式図である。
【図５】ＡＴＭ−ＰＯＮシステムの構成を示すブロック図である。
【図６】従来のＡＴＭ−ＰＯＮシステムの距離測定処理の手順を示すフローチャートである。
【図７】距離測定ウィンドウとＰＬＯＡＭセルの送出タイミングの関係を示すタイミングチャートである。
【符号の説明】
１１、２１　　ＩＦ処理部
１２　　下り信号送信部
１３　　上り信号受信部
１４　　下りセル送出時間挿入部
１５、２５　　制御部
２２　　下り信号受信部
２３　　上り信号送信部
２４　　下りセル受信時間比較部
１１１、２１１　　光波長分波器
１１２、２１２　　光ファイバ
１４１、２４１　　標準時間認識・保持部
１４２　　送出時間挿入部
２４２　　受信時間比較部
【図１】
2004064494.tif 000003
【図２】
2004064494.tif 000004
【図３】
2004064494.tif 000005
【図４】
2004064494.tif 000006
【図５】
2004064494.tif 000007
【図６】
2004064494.tif 000008
【図７】
2004064494.tif 000009